(57)【特許請求の範囲】
【請求項１】
ゴルフクラブを装着しスイング練習をするためのゴルフスイング練習補助具であって、
先端部にゴルフクラブを装着するクラブ装着装置を備え、後方に二本の支持部を備えたクラブ固定竿を設け、
前記クラブ装着装置は、ゴルフクラブのシャフト部を固定板と可動板間で挟持固定するよう構成し、
前記クラブ固定竿の前記支持部の各後端部にそれぞれ連結具を介して、ゴルフクラブを把持する際に略Ｖ字状をなす両側の下腕を手の甲側から各々支持すると共に、ゴルフスイングの際に手首の回転を制限する腕受けを、前記クラブ固定竿に対して固定して設け、
前記支持部は、該二本の支持部の間にゴルフクラブのグリップを保持できるグリップ把持空間を有するように構成したことを特徴とする
ゴルフスイング練習補助具。
【請求項２】
前記クラブ装着装置は、前記固定板の後端にヒンジ結合されて開閉する可動板を備え、
前記固定板と前記可動板の内面にはゴルフクラブのシャフト部を隙間なく挟持する弾性パッドを具備し、
前記固定板と可動板のうち、いずれか一方の先端には掛かり止めを具備し、他方には前記掛かり止めを掛けるためにヒンジ結合して可動する可動フックを具備して、前記可動板を開閉できるように構成したことを特徴とする
請求項１に記載のゴルフスイング練習補助具。
【請求項３】
前記クラブ装着装置は、前記クラブ固定竿の先端側に挿入されたゴルフクラブを保持するクラブ挿持体を具備し、
前記クラブ挿持体の内部空間に弾性パッドを各々具備した前記固定板と前記可動板を設けると共に、
前記固定板を前記クラブ挿持体の内部片側に固定し、前記可動板を前記固定板に対向する他側に取り付け、
前記クラブ挿持体の壁に設けたナット部に螺合して内外方向に進退するパッド可動ボルトと前記パッド可動ボルトに結合した締結ピンにより、前記パッド可動ボルトを正及び逆回動させることによって前記可動板を前記固定板の方に進退させて、前記固定板と前記可動板の間に挿入したゴルフクラブのシャフト部を挟持固定及び固定解除自在に構成したことを特徴とする
請求項１に記載のゴルフスイング練習補助具。
【請求項４】
前記クラブ固定竿は、先端側を一つの棒体とし、後端から左右に分岐して支持部を形成したことを特徴とする
請求項１から３のうち１つに記載のゴルフスイング練習補助具。
【請求項５】
前記両腕受け間に、出没式のフックボタンを形成したフックバンドがフック孔を複数形成したフック孔バンドのフック孔にフックボタンを係合して選択的に係合固定する結束バンドアッセンブリを、前記結束バンドアッセンブリの両端部を各腕受けに結着して具備することを特徴とする
請求項１から４のうち１つに記載のゴルフスイング練習補助具。
【請求項６】
前記クラブ装着装置に装着するゴルフクラブのシャフト部に対し直角に方向指示する方向指示棒を、前記クラブ装着装置の先端上側に設けたことを特徴とする
請求項１から５のうち１つに記載のゴルフスイング練習補助具。
【請求項７】
前記クラブ固定竿には側部を介してゴルフクラブのシャフト部を直接に挿入できる側部挿入口を具備することを特徴とする
請求項３に記載のゴルフスイング練習補助具。
【発明の詳細な説明】
【０００１】
【発明が属する技術分野】
本発明は、ゴルフスイング練習補助具に関するもので、より詳しくはフルスイングからパッティングのためのスイングまで、ゴルフスイングを練習するのに必要な両腕の正しい姿勢を習得したり、間違った姿勢を矯正するためのゴルフスイング練習補助具に関するものである。
【０００２】
【従来の技術】
一般的に、ゴルフスイングはフルスイングの場合、それがアップライトでもフラットスイングでも、ゴルファーはクラブフェースをゴルフボールの後ろで目標線に直角とすると共に、バックスイングとインパクトスイングの際にクラブフェースがスイング軌道に対しそのまま直角になるようにして、インパクト後、ゴルフボールが正確に目標線に向かって飛ぶようにしなければならない。これはハーフスイングの場合またはパッティングスイングに際しても適用される。
【０００３】
このような正確なスイング姿勢を習得するまでゴルファーは多くの練習をしなければならない。にもかかわらず、スイング姿勢が崩れる場合には専門家の助言を聞く必要がある。スイング姿勢が崩れる場合の例としては、スイング過程でアドレス姿勢以後、手首または腕を無意識に捻ってしまいクラブフェースが開いたり閉じたりしてスライスボール又はフックボールになってしまうことがある。これはもちろんゴルファーの腕以外の姿勢によっても誘発されることでもあるが、大部分はゴルファーの腕または姿勢の間違いに起因する。
【０００４】
つまり、正確なスイングのためには、例えば、アドレスとバックスイングにおけるゴルファーの腕の姿勢が、両肘を繋ぐ線と肩の線とを平行に維持し、またスイングのトップに至るまで手首がコックしない様に注意しなければならない。このような正確なスイング姿勢は多くの練習を通じて習得することができるが、ゴルファーが無意識にこのような正常的なスイングから離れた姿勢をとる場合がある。
【０００５】
従来、このような正確なスイング姿勢を学んだり矯正するための練習器具が提案されている。器具の構造が簡単になっているものとしては、手首をコックし過ぎることを防止する位のものが知られており、器具の構造が複雑になっているものとしては、ゴルファーの体全体の姿勢を正すものが知られているだけである。しかし、これらの器具はゴルファーの姿勢を強制的に矯正するものであり、かつ根本的に手首のコックを完全に防止できるものではない。（例えば、特許文献１参照。）
【特許文献１】
特開２００１−２４６０３６号公報。
【０００６】
【発明が解決しようとする課題】
本発明では、アドレス姿勢から腕の姿勢を正確に固定して手首が不要に左右に動くのを積極的に防止して練習できるようにすることによって、実戦でも正確な腕の姿勢が保持できるようにし、しかもパッティング練習の場合、両手と肩線が成す三角形の姿勢が、最初からパッティング完了までの過程をその通り練習できるゴルフスイング練習補助具を提供することを目的とする。
【０００７】
そのために本発明では、ゴルフクラブを装着し、スイング練習ができるようにしたゴルフスイング練習補助具を提供する。このゴルフスイング練習補助具は、先端にクラブを装着し、後方に二つの支持部を有するクラブ固定竿と、前記クラブ固定竿の支持部に逆Ｌ字状連結具及びボルト・ナットにより繋いでゴルフクラブを把持している下腕の手の甲側を支え両腕の間隔を維持する腕受けと、前記クラブ固定竿の先端部に取付けられてゴルフクラブのシャフト部を挟持する固定板と可動板からなる装着装置で構成される。
【０００８】
一方、前記クラブ固定竿の先端部に具備されるゴルフクラブ装着装置の基本構成は可動板が固定板の方に移動され、その間に挿入されたゴルフクラブのシャフト部を挟持する構成として固定板と可動板はその後端でヒンジ結合し、先端側は掛かり止めされる開閉式に実施したり、正面又は側面に挿入口が形成される管体内に固定板と可動板を、取付け可動ボルトの回動により可動板が固定板の方に進退する進退式に実施したりすることができるようにする。
【０００９】
前記両腕間には長さが調節され、ゴルフクラブの把持間隔を固定させる結束バンドアッセンブリを具備することができ、かつ、前記ゴルフクラブ装着装置に前記ゴルフクラブのシャフトと直角を成す方向指示棒を備え、バックスイング姿勢を確認することができるようにする。
【００１０】
【課題を解決するための手段】
この発明は、ゴルフクラブを装着しスイング練習をするためのゴルフスイング練習補助具であって、先端部にゴルフクラブを装着するクラブ装着装置１００を備え、後方に二本の支持部１２、１２’を備えたクラブ固定竿１０を設け、前記クラブ装着装置１００は、ゴルフクラブのシャフト部２０１を固定板１１０と可動板１２０間で挟持固定するよう構成し、前記クラブ固定竿１０の前記先端部の各後端部にそれぞれ連結具２０、２０’を介して、ゴルフクラブを把持する際に略Ｖ字状を成す両側の下腕を手の甲側から各々支持すると共に、ゴルフスイングの際に手首の回転を制限する腕受け３０、３０’を、前記クラブ固定竿に対して固定して設け、前記支持部１２、１２’は、該二本の支持部１２、１２’の間にゴルフクラブのグリップを保持できるグリップ把持空間を有するように構成したことを特徴とする。
【００１１】
さらに、前記クラブ装着装置１００は、前記固定板１１０の後端にヒンジ結合１３０されて開閉する可動板１２０を備え、前記固定板１１０と前記可動板１２０の内面にはゴルフクラブのシャフト部２０１を隙間なく挟持する弾性パッド１４０、１４０’を具備し、前記固定板１１０と可動板１２０のうち、いずれか一方の先端には掛かり止め１５０を具備し、他方には前記掛かり止め１５０を掛けるためにヒンジ結合して可動する可動フック１６０を具備して、前記可動板１２０を開閉できるように構成したことを特徴とすることができる。
【００１２】
またさらに、前記クラブ装着装置１００は、前記クラブ固定竿１０の先端側に挿入されたゴルフクラブを保持するクラブ挿持体６０を具備し、前記クラブ挿持体６０の内部空間６１に弾性パッド１４０、１４０’を各々具備した前記固定板１１０と前記可動板１２０を設けると共に、前記固定板１１０を前記クラブ挿持体６０の内部片側に固定し、前記可動板１２０を前記固定板１１０に対向する他側に取り付け、前記クラブ挿持体６０の壁に設けたナット部７０に螺合して内外方向に進退するパッド可動ボルト８０と前記パッド可動ボルト８０に結合した締結ピン９０により、前記パッド可動ボルト８０を正及び逆回動させることによって前記可動板１２０を前記固定板１１０の方に進退させて、前記固定板１１０と前記可動板１２０の間に挿入したゴルフクラブのシャフト部２０１を挟持固定及び固定解除自在に構成したことを特徴とすることができる。
さらに良い態様として、前記クラブ固定竿１０には側部を介してゴルフクラブのシャフト部を直接に挿入できる側部挿入口６３を具備することを特徴とすることができる。
【００１３】
さらに、前記クラブ固定竿１０は、先端側を一つの棒体とし、後端から左右に分岐して支持部を形成したことを特徴とすることができる。
【００１４】
また、前記両腕受け間に、出没式のフックボタン４２を形成したフックバンド４１がフック孔４２’を複数形成したフック孔バンド４１’のフック孔４２’にフックボタン４２を係合して選択的に係合固定する結束バンドアッセンブリ４０を、前記結束バンドアッセンブリ４０の両端部を各腕受けに結着して具備することを特徴とすることができる。
【００１５】
また、前記クラブ装着装置１００に装着するゴルフクラブのシャフト部に対し直角に方向指示する方向指示棒６４を、前記クラブ装着装置１００の先端上側に設けたことを特徴とすることができる。
【００１６】
【発明の実施の形態】
以下、本発明を添付図面に基づいて、より詳しく説明する。
本発明の実施例において、前記クラブ固定竿１０の支持部１２、１２’はユーザーが右利きの場合、左の支持部１２を右側の支持部よりも少し長く形成し、連結具２０、２０’につながる腕受け３０、３０’がゴルフクラブを把持するときに肘の位置偏差に応じて下腕の手の甲側をうまく支えるようにし、かつ左利きの場合はその反対に実施する。
【００１７】
前記連結具２０、２０’は大抵逆Ｌ字状で、これに繋がるクラブ固定竿１０と腕受け３０、３０’の連結部が関節式に流動するようボルト・ナットアッセンブリ５０で繋ぎ、このボルト・ナットアッセンブリ５０は手首の左右回転を制限する為に連結部を固定する場合、ユーザーが手で容易に緩めたり締めたりできるよう、ヘッドの大きいボルト又は蝶ナットを利用した方が良い。また腕受け３０、３０’は下腕の手の甲側が楽に支えられるよう、端面が円弧状に近い形に構成した方が良い。
【００１８】
前記腕受け３０、３０’には、パッティング練習の際にユーザーの両腕が開くのを防止するために、その長さが伸縮調節及び固定される結束バンドアッセンブリ４０を具備することもできる。この結束バンドアッセンブリ４０は、例えば図３に例示のように、両端部が各々腕受け３０、３０’間に固定され、かつ片側に出没式フックボタン４２が形成されているフックバンド４１がフック孔バンド４１’のフック孔４２’内に挿脱されながらフックボタン４２が、フック孔バンド４１’の長さ方向に複数設けられたフック孔４２’に選択的に係合し、間隔が固定されるように実施する。
【００１９】
一方、クラブ固定竿１０の先端部１１にゴルフクラブ２００のシャフト部２０１を装着するためのクラブ装着装置１００は、図２、図４に例示のごとく、固定板１１０の後端にヒンジ結合１３０されて可動板１２０を具備し、かつ各々の固定板１１０と可動板１２０の内面にはゴルフクラブのシャフト部２０１に傷がつかないようにしながら、挟持自在に弾性パッド１４０、１４０’を具備し、かつ前記固定板１１０と可動板１２０のうちいずれかの先端には掛かり止め１５０を具備し、またその反対側には前記掛かり止め５０を掛けるためにヒンジ結合されて可動する可動フック１６０を具備して可動板１２０を開閉自在に構成する。
【００２０】
前記クラブ装着装置１００の他の実施例としては、図５、図６、図７の例示のごとく、クラブ固定竿１０の先端側にクラブ挿持体６０を具備し、その内部空間６１に弾性パッド１４０、１４０’を各々具備した固定板１１０と可動板１２０を取付ける。だが、前記固定板１１０はクラブ挿持体６０の内部片側に固定し、かつその反対側に取付けられる可動板１２０はクラブ挿持体６０の壁に取付けられたナット部７０に螺合されて内外方向に進退されるパッド可動ボルト８０と締結ピン９０により結着し、パッド可動ボルト８０を正又は逆回動させる。それゆえ、可動板１２０が固定板１１０の方に進退し、固定板１１０と可動板１２０の間に挿入されたゴルフクラブのシャフト部２０１を挟持固定したり固定解除したりするように構成される。
【００２１】
このときに、固定板１１０の固定手段の一例を挙げると、例えば、内部空間の両側面に挿入溝６５を具備し、これに固定板１１０の両側端部を取込んだりネジ６６で固定し、かつ可動板１２０とパッド可動ボルト８０を締結する締結ピン９０のヘッド９１が可動板１２０に掛かった状態でパッド可動ボルト８０を貫通し、外部よりキー９２をかけて結着する。挿入口は、クラブ固定竿１０の内部空間６１の前方挿入口６２を通してゴルフクラブのグリップ２０２から挿入させたり、図８、図９のごとくクラブ固定竿１０の側部を開放したり側部挿入口６３を通してシャフト部２０１を側部から直接に挿入できるよう実施することができる。
【００２２】
前記のごとく、クラブ装着装置１００が取付けられるクラブ固定竿１０は図８のごとく先端の方は一つの棒体とし、後端より分岐されて内部にゴルフクラブのグリップを握る空間が確保できるよう、支持部１２、１２’を形成することができる。
【００２３】
前記のような、クラブ装着装置１００の先端上部には、図２、図５、図８のごとくゴルフクラブ２００のスイングの際にバックスイングトップの正しい姿勢を感知できるようシャフトに対し直角となる方向指示棒６４を設置することができる。
【００２４】
このような本発明の使用はまず、ユーザーがクラブ固定竿１０のクラブ装着装置１００にゴルフクラブ２００のシャフト部２０１を固定させる。そのためにクラブ装着装置１００が図２のごとく、開閉式の場合は、固定板１１０から可動板１２０を開けて、この中にゴルフクラブを挿入する。だが、グリップ２０２は支持部１２、１２’の間に進入するようにし、シャフト部２０１は固定板１１０と可動板１２０の間に挿入してから可動板１２０を閉めて、可動板１２０と固定板１１０の先端に具備された掛かり止め１５０と可動フック１６０により掛かり止めして、ゴルフクラブのシャフト部２０１を固定させたり、図５、図８のように前方挿入口６２又は側面挿入口を通じて、ゴルフクラブのシャフト部２０１を固定板１１０と可動板１２０の間に挿入して、パッド可動ボルト８０を回転させて可動板１２０を固定板１１０の方に進入させることにより、ゴルフクラブのシャフト部２０１を固定することができる。
【００２５】
このように、クラブ固定竿１０のクラブ装着装置１００にゴルフクラブのシャフト部２０１を固定し、ユーザーはクラブ固定竿１０の二つの支持部１２、１２’間に配置されるグリップ２０２を握る。このような姿勢では、ユーザーの両腕が略Ｖ字状に近づきながら、下腕は各々腕受け３０、３０’に支えられ、グリップを握っている手の手首はコックせず、腕全体が捻られるのを防止することができる。
【００２６】
ユーザーは、このような姿勢でスイング練習をすることができる。このような練習により、クラブフェースが開いたり閉じたりすることを防止しながら、手首がコックすることを規制して防止することができる。
【００２７】
一方、パッティングのような他のスイング姿勢をとるために、腕の角度を調節したいときは、クラブ固定竿１０の支持部１２、１２’と腕受け３０、３０’を連結している連結具２０、２０’のボルト・ナットアッセンブリ５０、５０’を少し開けて、支持部１２、１２’に対し腕受け３０、３０’の角度を調節してからボルト・ナットアッセンブリを締め、さらに固定して練習することができる。また、スイング過程で両腕が開くのを防止したいときに使用する結束バンドアッセンブリ４０のフックバンド４１を移動させて、フックボタン４２をフック孔バンド４１’の選ばれたフック孔４２’に係合固定して、腕受け３０、３０’の間の距離を調節して固定することができる。
【００２８】
前記のごとく、スイング練習の際にクラブ装着装置１００の先端上側に着設された方向指示棒６４は、これがゴルフクラブのシャフト部２０１と直角になるので、ユーザーはスイング練習の際に鏡３００から見えるバックスイングトップの姿勢を見て、姿勢が崩れているかどうかを確認することができる。例えば、図１０のごとく、鏡３００に方向指示棒６４が直線状に見えると正しい姿勢だが、斜めに見えると崩れているので、これを確認して正しい姿勢に矯正しながら練習をする。
【００２９】
【発明の効果】
このように使われる本発明は、クラブ装着装置にゴルフクラブを容易に装着し、アドレス姿勢で両側の下腕を腕受けに支えられ把持姿勢を固定させ、手首が左右に回転することを防止するようにし、理想的なスイング姿勢を取って、スイング練習をすることができるという効果がある。これにより、実戦でも正確なスイング姿勢を取ることができる。またパッティング練習の場合は、両腕と肩線が成す三角形の姿勢を、最初からパッティング完了時までそのまま維持して練習できる効果がある。
【図面の簡単な説明】
【図１】  本発明に係るゴルフスイング練習補助具の例示斜視図である。
【図２】  本発明に係るクラブ装着装置の一実施例を示した斜視図である。
【図３】  本発明に係る結束バンドアッセンブリの例示斜視図である。
【図４】  本発明に係るクラブ装着装置の掛かり止め装置の掛かり止め状態を示す斜視図である。
【図５】  本発明に係るクラブ装着装置の他の実施例を示した斜視図である。
【図６】  図５に示したクラブ装着装置の内部の構造を示す側断面図である。
【図７】  図６のＡ−Ａ線視断面図である。
【図８】  本発明に係るクラブ装着装置のさらに他の実施例を示した斜視図である。
【図９】  図８に示したクラブ装着装置の内部の構造を示す正断面図である。
【図１０】  本発明の使用状態を示す例示図である。
【符号の説明】
１０…クラブ固定竿
１２、１２’…支持部
２０、２０’…連結具
３０、３０’…腕受け
４０…結束バンドアッセンブリ
４１…フックバンド
４１’…フック孔バンド
４２…フックボタン
４２’…フック孔
５０、５０’…ボルト・ナットアッセンブリ
６０…クラブ挿持体
６１…内部空間
６２…前方挿入口
６３…側部挿入口
７０…ナット部
８０…パッド可動ボルト
９０…締結ピン
９１…ヘッド
９２…キー
１００…クラブ装着装置
１１０…固定板
１２０…可動板
１３０…ヒンジ
１４０、１４０’…弾性パッド
１５０…掛かり止め
１６０…可動フック
【図１】
0003974849.tif 000002
【図２】
0003974849.tif 000003
【図３】
0003974849.tif 000004
【図４】
0003974849.tif 000005
【図５】
0003974849.tif 000006
【図６】
0003974849.tif 000007
【図７】
0003974849.tif 000008
【図８】
0003974849.tif 000009
【図９】
0003974849.tif 000010
【図１０】
0003974849.tif 000011